(57)【要約】      （修正有）【課題】ハンドホール内の地中埋設用電線保護管の開口部をハンドホール壁内に形成した挿管孔の開口部に芯を合わせて容易に仮固定することを可能とするリングを提供する。【解決手段】本リング１は曲面として第１の外周面１１、第２の外周面１２及び内周面１３を、並びに平面として第１の環状平面１４、第２の環状平面１５及び第３の環状平面１６によって構成される。第１の外周面１１の径は、ハンドホール壁に形成された挿管孔の内径と等しく、第２の外周面１５の径は挿管孔の内径より大きい。外面側から保護管を挿通させた後、内面側の挿管孔開口部にリング１とベルマウスを嵌めこむ。ベルマウスの筒部が保護管内に嵌り込み、保護管は挿管孔の軸方向中心に仮固定される。パテ等で間詰めした後にリングを外す。【選択図】図１
0003201355.tif 000002
【実用新案登録請求の範囲】
【請求項１】
ハンドホール内の地中埋設用電線保護管の開口部をハンドホール壁内に形成した挿管孔の開口部に芯を合わせて仮固定するために使用するドーナッツ形状のリングであって、
第１の外周面（１１）と、
前記第１の外周面（１１）より径が大きい第２の外周面（１２）と、
径が一律である内周面（１３）と、
前記第１外周面（１１）と垂直に接する第１の環状平面（１４）と、
前記第１の外周面（１１）及び前記第２の外周面（１２）と垂直に接する第２の環状平面（１５）と、
前記第２の外周面（１２）と垂直に接する第３の環状平面（１６）と、
を有し、前記第１の外周面（１１）の径は前記挿管孔の内径と等しく、前記第２の外周面（１２）の径は前記挿管孔の内径より大きいことを特徴とするリング。
【請求項２】
前記リングは、表面に波形状を有する硬質樹脂製の前記地中埋設用電線保護管について使用されるリングであって、前記内周面（１３）の径は前記地中埋設用電線保護管の内径と等しいことを特徴とする請求項１記載のリング。
【請求項３】
前記リングは、表面に波形状を有さない金属製又は硬質樹脂製の前記地中埋設用電線保護管について使用されるリングであって、前記内周面（１３）の径は前記地中埋設用電線保護管の外径と等しいことを特徴とする請求項１記載のリング。
【考案の詳細な説明】
【技術分野】
【０００１】
本考案は、ハンドホ−ル内の地中埋設用電線保護管の開口部をハンドホール壁挿管孔の内側開口部に固定するために一時使用するリングに関する。
【背景技術】
【０００２】
電柱を使用せずに電線を地中に埋設する方法としては、地中に複数の埋設用電線保護管を敷設し管内に電線を通す方法がとられている。近年、保護管には波付硬質ポリエチレン管が多用され、電線の引入れ，引抜き、接続、分岐などを行う箇所には地中箱（通称「ハンドホール」、以後、「ハンドホール」という）が設置されており、該ハンドホールの側壁内に形成された挿管孔に保護管を挿通し、ハンドホール内側に引き出し、電線の引入れ等の保守作業を行うための開口部が設けられている。
【０００３】
上記ハンドホール側壁内の挿管孔に外面側から挿通した保護管の開口部をハンドホール内の挿管孔開口部に固定するに際しては、保護管を挿管孔軸方向中心に仮固定し、地震対策や止水の観点から保護管と挿管孔との隙間をパテやモルタルで間詰めする必要がある。このためには、一般的に図５に示すような施工法が採用されている。（１）ハンドホール内面側に保護管を長めに挿出させ、内面側から角材・針金等を用いて抜け止めをする一方、外面側ではクサビ等を用いてハンドホール挿管孔の軸方向中心に保護管を仮固定する。（２）外面側からエポキシパテで間詰めし、パテ硬化後に保護管の余長を切断する。（３）内面側からモルタルで間詰めした後、保護管端部との接触から電線を保護するために「ベルマウス」と呼ばれる鍔部を有する環状部品を切断部に嵌め込む。
【先行技術文献】
【特許文献】
【０００４】
【特許文献１】実用新案登録第３１６８６９８号
【考案の概要】
【考案が解決しようとする課題】
【０００５】
上述の従来工法では、施工途中で保護管の余長がハンドホール内に突き出しているため、多条数の配管時には作業の障害になる。また、保護管の余長分の切断により発生する短尺の管材廃棄物と、その処理費用を要する。さらに、挿管孔の軸方向中心に保護管を仮固定するための角材・クサビ等の保護管支持部材及び針金が必要である。図６は従来工法によるハンドホール外面部の施工途中の写真である
【０００６】
特許文献１には、挿管孔の内周に雌螺子を、保護管の外周に雄螺子を形成したうえで保護管を挿管孔に螺合挿通させ、外周に雄ねじ部を後端側に鍔部を形成したケーブルマウス（ベルマウス）を内面側から保護管の開口部に挿入し、外面側から保護管に螺嵌してあるロック管を前進させて該ロック管の先端面を外面に、前記ケーブルマウスの鍔部を内面に圧接させてなるハンドホールのケーブル支持構造についての考案が開示されている。
【０００７】
しかしながら、現在保護管として多く使用されている波付硬質ポリエチレン管の外周面に雄螺子を形成することは難しいうえ、挿管孔の内周面に雌ねじを形成したり、あらかじめ挿管孔の内径を保護管の外径にあわせた挿管孔を有するハンドホールを製造したりすることは、手間とコスト面の観点から現実的ではない。また、ハンドホールは通常３０〜５０ｍ毎に設置されるところ、１箇所で保護管を固定してしまうと、次のハンドホールでの施工が不可能になる。
【０００８】
上述の問題に鑑み、本考案においては、低コストで容易に、ハンドホール内の保護管の開口部をハンドホール壁内に形成した挿管孔の開口部に芯を合わせベルマウスの鍔部を利用して仮固定することを可能とするリングを提供することを課題とする。
【課題を解決するための手段】
【０００９】
上記課題を解決するために、請求項1に係るリングは、第１の外周面と、前記第１の外周面より径が大きい第２の外周面と、径が一律である内周面と、前記第１外周面と垂直に接する第１の環状平面と、前記第１・第２の外周面と垂直に接する第２の環状平面と、前記第２の外周面と垂直に接する第３の環状平面と、を有し、前記第１の外周面の径は前記挿管孔の内径と等しく、前記第２の外周面の径は前記挿管孔の内径より大きいことを特徴とする。
【００１０】
請求項２に係るリングは、表面に波形状を有するポリエチレン等硬質樹脂製の前記保護管について使用されるリングであって、前記内周面の径は前記保護管の内径と等しいことを特徴とする。
請求項３に係るリングは、表面に波形状を有さない鋼管又は塩化ビニール等硬質樹脂製の前記地保護管について使用されるリングであって、前記内周面の径は前記保護管の外径と等しいことを特徴とする
【００１１】
前記リングの使用法は、ハンドホール壁の前記挿管孔に外面側から前記保護管を挿通させた後、内面側の前記挿管孔開口部にリングを嵌めこむ。この時、請求項２に係るリングについては、前記保護管の開口部とリングの前記第１の環状平面が互いに当接し、請求項３に係るリングについては、前記保護管の開口部がリング内に嵌入する。この状態でベルマウスの筒部をリングの内周部に嵌めこむことにより、ベルマウス筒部が前記保護管内部に嵌入し、前記保護管は前記挿管孔の軸方向中心に仮固定される。
【００１２】
上述の状態で、ハンドホール外面側からエポキシパテで間詰めし、パテ硬化後にリング及びベルマウスを外して内面側からモルタル６で間詰めする。最後に、保護管の開口部に再びベルマウスを嵌めこむ。
【考案の効果】
【００１３】
本リングを使用することにより、ハンドホール内側に保護管を長めに挿出させて後で切断する必要もなく、また、抜け止めのための角材・針金等も不要となるため、廃棄物発生が抑えられ、コスト削減、環境保護が実現する。
【００１４】
本リングの使用により、容易に保護管と挿管孔の芯を合わせて軸方向中心に仮固定することが可能となるため、作業時間が減少し、労働コストの削減が可能となる。
【図面の簡単な説明】
【００１５】
【図１】本実施形態のリングの（Ａ）第１の環状平面側からの斜視図、（Ｂ）第３の環状平面側からの斜視図である。
【図２】本実施形態のリングの（Ａ）平面図、（Ｂ）正面図、（Ｃ）背面図である。
【図３】本実施形態のリングを利用した施工方法を説明するための工程図である。
【図４】本実施形態のリングの利用方法を示すためのハンドホール内面の写真である。
【図５】従来の施工方法を説明するための工程図である。
【図６】従来の施工方法におけるハンドホール外面の写真である。
【考案を実施するための形態】
【００１６】
本実施形態の地中埋設用電線保護管のハンドホール内開口部固定用リングは、表面に波形状を有する硬質樹脂製の保護管について使用される請求項２に記載のリングである。
【００１７】
まず、形状及び大きさについて説明する。図１及び２に示すように、本リングは曲面として第１の外周面１１、第２の外周面１２及び内周面１３、並びに平面として第１の環状平面１４、第２の環状平面１５及び第３の環状平面１６によって構成される。第１の外周面１１の径は、図３に示すハンドホール壁３に形成された挿管孔４の内径と等しく、第２の外周面１２の径は挿管孔４の内径より大きい。また、内周面１３の径は保護管２の内径と等しい。
【００１８】
次に、図３を用いて本リングの使用法について説明する。
（１）ハンドホール壁３の挿管孔４に外面側から保護管２を挿通させた、内面側の前記挿管孔開口部４１にリング１の第１の環状平面１４と第１の外周面１１を嵌入し、続けてベルマウス５の筒部５２をリング１に嵌めこむ。
（２）この時、リング１の第１の外周面は挿管孔４内に嵌り込み、ベルマウス５の筒部５２はリング内を貫通し保護管２内に嵌り込むため、保護管２は挿管孔４の軸方向中心に仮固定される。また、ベルマウス５の鍔部５１はリング１の内周面１３の径より大きいため、保護管２が挿管孔４内に引き戻されることもない。  この状態で、ハンドホール外壁面から挿管孔４と保護管２の隙間をエポキシパテ６で間詰めする。
（３）エポキシパテ６が硬化後、一旦ベルマウス５をリング１とともに外し、内面側からモルタル６で間詰めする。最後に、保護管の開口部２１にベルマウス５の筒部５２を嵌め込む。
【００１９】
図４は、本リング１を利用しての施工状況を示すハンドホール壁内面３２の写真である。上２段はリング１を使用した状態で施工中のもの、下２段はリングを外した状態を示す。
【符号の説明】
【００２０】
１      ハンドホール内開口部固定用リング
１１    第１の外周面
１２    第２の外周面
１３    内周面
１４    第１の環状平面
１５    第２の環状平面
１６    第３の環状平面
２      地中埋設用電線保護管
２１    地中埋設用電線保護管の開口部
３      ハンドホール壁
３１    ハンドホール壁外面
３２    ハンドホール壁内面
４      挿管孔
４１    挿管孔開口部
５      ベルマウス
５１    ベルマウス鍔部
５２    ベルマウス筒部
６      エポキシパテ
７      モルタル
８      保護管固定用楔
９      保護管支持部材及び針金
１０    保護管余長部分
【図１】
0003201355.tif 000003
【図２】
0003201355.tif 000004
【図３】
0003201355.tif 000005
【図４】
0003201355.tif 000006
【図５】
0003201355.tif 000007
【図６】
0003201355.tif 000008